(57)【特許請求の範囲】
【請求項１】
ディスクを載置するトレイをマガジンケース内に収納するディスク収納マガジンであって、
前記マガジンケース内のトレイ挿入方向奥部に設けられ、挿入している前記トレイの突起と当接する弾性部材と、
前記弾性部材の近傍に設けられ、前記弾性部材により付勢された前記突起に当接して前記挿入途中のトレイを位置決めする位置決め部材とを有し、
前記弾性部材は、前記突起の傾斜辺を乗り越えることにより、その突起を前記位置決め部材に当接させながら前記トレイをマガジンケース内に引き込むことを特徴とするディスク収納マガジン。
【請求項２】
前記位置決め部材は、前記マガジンケース内のトレイ挿入方向奥部から前部に向かって突出しているとともに、前記突起の先端部が前記突出方向に対して斜め方向から当接することにより前記トレイを位置決めすることを特徴とする請求項１に記載のディスク収納マガジン。
【発明の詳細な説明】
【０００１】
【発明の属する技術分野】
本発明は、ディスクを載置するトレイをマガジンケース内に収納するディスク収納マガジンに関する。
【０００２】
【従来の技術】
複数のディスクを連続して演奏することができるマルチタイプのプレーヤが普及している。このようなマルチタイプのプレーヤにおいて用いられるマガジン内には、ディスクを収容するためのトレイが複数枚収納されている。ディスクをマガジン内から取り出したり、または、ディスクをマガジン内に収納させる際には、トレイをマガジン内から回動させたり、スライドさせたりしている。（例えば、特許文献１参照。）。
【０００３】
使用者がディスクを交換する際には、交換したいディスクを載置したトレイを引き出してディスクを取り出し、そして、そのトレイに新たなディスクを載置してマガジン内にトレイを挿入する。
【０００４】
【特許文献１】
特開昭６３−２３９６６２号公報
【０００５】
【発明が解決しようとする課題】
上述したマガジンにおいては、挿入されるトレイをマガジン内最奧部まで確実に引き込むことが望まれる。つまり、中途半端に挿入された状態では、再生機構側でトレイを引き出す際に不具合が生じる可能性もある。
【０００６】
本発明は、このような事情をひとつの課題としてとらえ、少なくともトレイをマガジン内に収納する際にトレイを確実にマガジン内に引き込むことができるディスク収納マガジンを提供することを目的とする。
【０００７】
【課題を解決するための手段】
請求項１に記載の発明は、ディスクを載置するトレイをマガジンケース内に収納するディスク収納マガジンであって、前記マガジンケース内のトレイ挿入方向奥部に設けられ、挿入している前記トレイの突起と当接する弾性部材と、前記弾性部材の近傍に設けられ、前記弾性部材により付勢された前記突起に当接して前記挿入途中のトレイを位置決めする位置決め部材とを有し、前記弾性部材は、前記突起の傾斜辺を乗り越えることにより、その突起を前記位置決め部材に当接させながら前記トレイをマガジンケース内に引き込むことを特徴とする。
【０００８】
【発明の実施の形態】
以下、本発明の実施の形態を図面に基づいて説明する。図１は、本発明のディスク収納マガジンに収納されるトレイの一実施例を示すものである。トレイ本体１にはディスク２の形状に合わせられたディスク収容部３が形成されている。ディスク収容部３の直径は、ディスク２の取出し等を容易とするために、ディスク２の直径より若干大きめとされている。またトレイ本体１の角部には、凹部４ａ〜４ｂが形成されている。これら凹部４ａ〜４ｂは、ディスク収容部３に載置されているディスク２より低い位置とされているため、凹部４ａ又は４ｃからディスク収容部３内のディスク２の縁部を引き起こすことができるようになっている。トレイ本体１の中央部には、クランプ時において図示省略のターンテーブルが通過できるクランプ孔５が形成されている。
【０００９】
トレイ本体１の凹部４ｂ，４ｄには、ディスク保持部材６ａ，６ｂが軸７を支点として回動自在に配設されている。各ディスク保持部材６ａ，６ｂは、バネ部材８によって時計方向に付勢されている。
【００１０】
各ディスク保持部材６ａ，６ｂの端部には、それぞれＬ字形状の保持部９ａ及び二股形状の保持部９ｂが設けられている。二股形状の保持部９ｂはディスク２の外周縁部の押付け及び挟持の作用を有するが、Ｌ字形状の保持部９ａは、ディスク外周縁部の浮き上がり防止作用を有している。図２に示すように、ディスク２がディスク収容部３に載置されたとき、保持部９ａがディスク２の外周縁部に当接しない位置まで回動されるようになっている。したがって、この保持部９ａはディスク２に対して押付け力を与えるものではなく、単にディスク２の浮き上がりを防止する役目を担っている。
【００１１】
トレイ本体１のディスク保持部６ａ寄りのディスク収容部３の内周縁部には、ディスク１の外周端縁に当接する突起３ａ，３ｂが突設されている。
【００１２】
トレイ本体１の前方側には、トレイ本体１がマガジン２０内から引き出される際に図示しないローディング機構の係合爪が係合される係合片１１が設けられている。トレイ本体１の後方側には、後述するトレイ突出防止爪２６によって係合される係合突起１２及びバネ部材２７によって係合される係合段部１３ｂを有した係合突起１３が設けられている。またトレイ本体１の後方側には、後述する位置決め突起２３，２４によって位置決めされるガイド溝１４，１５が設けられている。
【００１３】
このような構成のトレイでは、ディスク２をディスク収容部３に収容する場合、たとえばディスク保持部材６ａをバネ部材８の付勢力に抗し反時計方向に回動させた状態で、ディスク２の外周縁部をディスク保持部材６ｂの保持部９ｂに嵌め込む。この状態でディスク２をディスク収容部３に落し込むとともに、ディスク保持部６ａをバネ部材８の付勢力によって定位置に戻す。
【００１４】
このとき、ディスク保持部材６ａの保持部９ａがディスク２の外周縁部から離れるとともに、保持部９ａがディスク２の外周縁部上方に位置した状態で、ディスク保持部材６ａの回動が停止する。一方、ディスク保持部材６ｂの保持部９ｂは、ディスク２に対して矢印方向に押付け力を与える。
【００１５】
これにより、ディスク２のディスク保持部材６ａ側の外周縁部は、突起３ａ，３ｂに押し当てられるため、ディスク２はディスク収容部３にてディスク保持部材６ｂの保持部９ｂ及び突起３ａ，３ｂにより３箇所で支持されることになる。
【００１６】
図３乃至図５は、上記のトレイ本体１を多段に収容するための本発明におけるディスク収納マガジンを示す。本発明のマガジンケースに相当するマガジン本体２０にはトレイ本体１の係合片１１を露出させるための切欠き部２１が設けられている。この切欠き部２１は、ディスク２の選択が行われる場合に図示省略の再生機構側が上下動することに対応させたものであり、上記のローディング機構の係合爪が切欠き部２１内を上下するに最適な形状とされている。
【００１７】
マガジン本体２０内部には、トレイ本体１の挿入のガイドを行うとともに、挿入されたトレイ本体１を水平状態に保持するガイド片２２が多段に配設されている。
【００１８】
マガジン本体２０の最奧部には、上記のガイド溝１４，１５に嵌り込む位置決め突起２３，２４が突設されている。ここで、位置決め突起２３の配置箇所は、後述する理由から後述の本発明の弾性部材に相当するバネ部材２７寄りとされている。
【００１９】
位置決め突起２３の近傍には、シャフト２５が配設されている。シャフト２５には、トレイ本体１の収納個数に対応したトレイ突出防止爪２６が回動自在に取付けられている。いずれかのトレイ本体１がマガジン本体２０から取り出された場合には、そのトレイ本体１に対応するトレイ突出防止爪２６のみが回動するが、他のトレイ突出防止爪２６の回動は阻止されているため、他のトレイ本体１のマガジン本体２０からの突出が阻止されるようになっている。
【００２０】
トレイ突出防止爪２６と位置決め突起２３との間には、トレイ本体１の係合突起１３を図中右方向に付勢するためのバネ部材２７が配設されている。このバネ部材２７の付勢力により、マガジン本体２０の最奧部直前まで押し込まれたトレイ本体１が後述するように、最奧部まで引き込まれるようになっている。なお、係合突起１３が、本発明の突起に相当し、位置決め突起２３が本発明の当接部に相当する。
【００２１】
このような構成のディスク収納マガジンでは、トレイ本体１をマガジン本体２０内部に収納する場合、図６に示すように、トレイ本体１をガイド片２２に沿って挿入する。このとき、トレイ突出防止爪２６はトレイ本体１の挿入の妨げとならないように、反時計方向に回動している。なお、本発明におけるトレイ挿入方向とは、図６の矢印Ｘで示す方向である。
【００２２】
トレイ本体１をマガジン本体２０の最奧部近傍まで押し込むと、係合突起１３の傾斜辺がバネ部材２７に当接する。この状態では、トレイ本体１のガイド溝１４，１５が位置決め突起２３，２４に浅めに嵌り込む。
【００２３】
この状態からトレイ本体１を更に押し込むと、係合突起１３がバネ部材２７によって矢印方向に付勢されることにより、係合突起１３の先端部１３ａが位置決め突起２３に押し当てられる。これにより、バネ部材２７による付勢力の作用点が係合突起１３の先端部１３ａと係合突起１３との当接部分となり、バネ部材２７に近接した位置となるため、マガジン本体２０内部でトレイ本体１が回動することなく定姿勢を保った状態で押し込まれる。
【００２４】
この状態からトレイ本体１をマガジン本体２０の最奧部直前まで押し込むと、バネ部材２７が係合突起１３の傾斜辺を乗り越えて係止段部１３ｂ側に移動する。このバネ部材２７が傾斜辺を乗り越えることによってトレイ本体１に対し引き込み力が作用するため、マガジン本体２０の最奧部直前ではトレイ本体１が自動的に引き込まれる。
【００２５】
このとき、トレイ突出防止爪２６が時計方向に回動して係合突起１２に係合することにより、トレイ本体１の飛び出し方向への移動が阻止される。また、バネ部材２７の付勢力によって係合突起１３が図中矢印方向に押し付けられるので、マガジン本体２０内部でのトレイ本体１のガタつきも防止される。
【００２６】
ここで、バネ部材２７によるマガジン本体２０の最奧部直前でのトレイ本体１の引き込みについて説明する。
【００２７】
まず、図８に示すように、位置決め突起２３が設けられていない場合について考察する。但し、以下の説明において、
Ｆ：バネ力（ＦＸ，ＦＹはそのｘ成分、ｙ成分）
Ｎ１，Ｎ２：マガジンガイド面からの抗力
μ：マガジンとトレイとの摩擦係数
Ｋ：バネとトレイとの摩擦力（ＫＸ，ＫＹはそのｘ成分，ｙ成分）
である。
【００２８】
力の釣り合いの式をたてると、
ｘ方向では、
−ＦＸ−ＫＸ＋Ｎ１−Ｎ２＝０
ｙ方向では、
ＦＹ−ＫＹ−μＮ１−μＮ２＞０
原点を中心としたモーメントは、
−ｂ１Ｎ１−ａ１μＮ１＋ｂ２Ｎ２−ａ２μＮ２＝０
となる。
【００２９】
以上の式に実際に数値を入れて計算すると、図１０に示すように、マガジンとトレイとの摩擦係数であるμを０．４３以下とする必要があった。
【００３０】
一方、図９に示すように、位置決め突起２３を設けた場合は、バネ部材２７による付勢力を位置決め突起２３と係合突起１３との接合部によって受けることができるので、マガジン本体２０内部でのトレイ本体１の回動が極力小さくなるので、マガジン本体２０の内面の抗力であるＮ２成分が無くすことができ、図１０に示すように、μを１．３３以下までとすることができる。
【００３１】
このように、本実施形態では、トレイ本体１がマガジン本体２０内に挿入される際に、トレイ本体１の係合突起１３の傾斜辺をバネ部材２７が乗り越えることにより、トレイ本体１をマガジン本体２０内に引き込む構成としたので、トレイ本体１を確実にマガジン本体２０内の最奧部に引き込むことができる。
【００３２】
また、バネ部材２７が係合突起１３の傾斜辺を乗り越える際に、係合突起１３を所定方向に付勢して位置決め突起２３と当接させるようにした。よって、バネ部材２７の付勢力を係合突起１３と位置決め突起２３との接合部にて受けることができ、バネ部材２７の引込み力を小さくした場合であっても、トレイ本体１の引き込みを確実に行わせることができる。
【図面の簡単な説明】
【図１】トレイの一実施例を示す図である。
【図２】図１の断面図である。
【図３】マガジンを示す平面図である。
【図４】マガジンを示す側面図である。
【図５】マガジンを示す断面図である。
【図６】トレイをマガジンに収納する際の動作を説明するための図である。
【図７】トレイの収納完了状態を示す図である。
【図８】バネ部材によるトレイの引き込みについて説明するための図である。
【図９】バネ部材によるトレイの引き込みについて説明するための図である。
【図１０】ガイド突起の位置と限界摩擦係数との関係を示す図である。
【符号の説明】
１  トレイ本体
２  ディスク
３ａ，３ｂ  突起
１１  係合片
１３  係合突起
６ａ，６ｂ  ディスク保持部材
９ａ，９ｂ  保持部
２０  マガジン本体
２７  バネ部材
【図１】
0003561713.tif 000002
【図２】
0003561713.tif 000003
【図３】
0003561713.tif 000004
【図４】
0003561713.tif 000005
【図５】
0003561713.tif 000006
【図６】
0003561713.tif 000007
【図７】
0003561713.tif 000008
【図８】
0003561713.tif 000009
【図９】
0003561713.tif 000010
【図１０】
0003561713.tif 000011